(57)【特許請求の範囲】
【請求項１】
単一ＦＭチューナシステムにおいて局情報を提供する方法であって、
前記単一ＦＭチューナシステムによって、ラジオデータシステム、ＲＤＳデータ／ラジオ放送データシステム、ＲＢＤＳデータを受信することと、
前記受信されたＲＤＳ／ＲＢＤＳデータから、受信可能な局に関する周波数情報を抽出することと、
前記受信されたＲＤＳ／ＲＢＤＳデータのプログラムタイプ、ＰＴＹ情報フィールドから、及び／または、前記受信されたＲＤＳ／ＲＢＤＳデータのプログラム識別、ＰＩ情報フィールドから、前記受信可能な局に関する第１の追加の情報を抽出することと
を含み、
受信可能な周波数のリストを表示することであって、前記受信可能な周波数の前記リストは、１つ以上の受信可能な周波数を含む、ことと、
前記リストにおけるそれぞれの受信可能な周波数と一致している前記受信可能な局に関する前記抽出された第１の追加の情報を表示することと、
前記単一ＦＭチューナシステムのユーザによって前記抽出された第１の追加の情報に基づいて局を選択することと、
対応するＲＤＳ／ＲＢＤＳデータが受信されているときに、前記選択された局のＰＳ名を含む第２の追加の情報を抽出することと、
前記抽出された第１の追加の情報を前記選択された局の前記ＰＳ名と置き換えることによって、前記抽出された第２の追加の情報に基づいて前記受信可能な周波数の前記表示されたリストを更新することと
によって特徴付けられる、方法。
【請求項２】
前記ＰＴＹ情報フィールドからの前記抽出された第１の追加の情報が、ＰＴＹコードを含み、前記方法が、第１の平文を前記ＰＴＹコードに割り当てる更なるステップを含み、前記表示するステップが、前記第１の平文を表示することを含む、請求項１に記載の方法。
【請求項３】
前記ＰＩ情報フィールドからの前記抽出された第１の追加の情報が、ＰＩコードを含み、前記方法が、第２の平文を前記ＰＩコードに割り当てる更なるステップを含み、前記表示するステップが、前記第２の平文を表示することを含む、請求項１〜２のうちの一項に記載の方法。
【請求項４】
前記ＰＩ情報フィールドからの前記抽出された第１の追加の情報が、ＰＩコードを含み、前記方法が、第２の平文を前記ＰＩコードに割り当てる更なるステップを含み、前記表示するステップが、前記第２の平文を表示することを含み、前記単一ＦＭチューナシステムのデータベース内に記憶された割り当て表を使用して、前記第１の平文が前記ＰＴＹコードに割り当てられ、及び／または前記第２の平文が前記ＰＩコードに割り当てられる、請求項２に記載の方法。
【請求項５】
単一ＦＭチューナシステムであって、
ラジオデータシステム、ＲＤＳデータ／ラジオ放送データシステム、ＲＢＤＳデータを受信するための受信機と、
情報を表示するための表示部と、
前記受信されたＲＤＳ／ＲＢＤＳデータから、受信可能な局に関する周波数情報を抽出するための、ならびに、前記受信されたＲＤＳ／ＲＢＤＳデータのプログラムタイプ、ＰＴＹ情報フィールドから、及び／または、前記受信されたＲＤＳ／ＲＢＤＳデータのプログラム識別、ＰＩ情報フィールドから、前記受信可能な局に関する第１の追加の情報を抽出するためのプロセッサと
を備え、
前記プロセッサが、受信可能な周波数のリストを前記表示部上に表示するために前記表示部に表示データを送信するために更に構成され、特に、前記リストが、１つ以上の受信可能な周波数を含み、前記表示データが、前記受信可能な局に関する前記抽出された第１の追加の情報に対応するデータを更に備えることと、
前記表示部が、前記リストにおけるそれぞれの受信可能な周波数と一致している前記抽出された第１の追加の情報を表示するように更に構成されることと
を特徴とし、
前記単一ＦＭチューナシステムのユーザによって前記抽出された第１の追加の情報に基づいて局を選択するための選択手段を更に備え、
前記プロセッサが、対応するＲＤＳ／ＲＢＤＳデータが受信されているときに、前記選択された局のＰＳ名を含む第２の追加の情報を抽出するために更に構成され、
前記プロセッサが、前記抽出された第１の追加の情報を前記選択された局の前記ＰＳ名と置き換えることによって、前記抽出された第２の追加の情報に基づいて前記受信可能な周波数の前記表示されたリストを更新するために更に構成される、単一ＦＭチューナシステム。
【請求項６】
前記ＰＴＹ情報フィールドからの前記抽出された第１の追加の情報が、ＰＴＹコードを含み、前記プロセッサが、第１の平文を前記ＰＴＹコードに割り当てるように更に構成され、前記表示部が、前記第１の平文を表示するように更に構成される、請求項５に記載の単一ＦＭチューナシステム。
【請求項７】
前記ＰＩ情報フィールドからの前記抽出された第１の追加の情報が、ＰＩコードを含み、前記プロセッサが、第２の平文を前記ＰＩコードに割り当てるように更に構成され、前記表示部が、前記第２の平文を表示するように更に構成される、請求項５〜６のうちの一項に記載の単一ＦＭチューナシステム。
【請求項８】
前記ＰＩ情報フィールドからの前記抽出された第１の追加の情報が、ＰＩコードを含み、前記プロセッサが、第２の平文を前記ＰＩコードに割り当てるように更に構成され、前記表示部が、前記第２の平文を表示するように更に構成され、前記単一ＦＭチューナシステムは、前記第１の平文を前記ＰＴＹコードに及び／または前記第２の平文を前記ＰＩコードに割り当てるための割り当て表を記憶するためのデータベースを更に備える、請求項６に記載の単一ＦＭチューナシステム。
【発明の詳細な説明】
【技術分野】
【０００１】
本発明は、単一ＦＭチューナシステムにおいて局情報を提供する方法に関するものである。
【背景技術】
【０００２】
先行技術
ラジオデータシステム（ＲＤＳ：Ｒａｄｉｏ  Ｄａｔａ  Ｓｙｓｔｅｍ）は、従来のＦＭラジオ放送における少量のデジタル情報を含むための通信プロトコル標準である。ＲＤＳは、時間、局識別及びプログラム情報を含む、送信されるいくつかの種類の情報を標準化する。ラジオ放送データシステム（ＲＢＤＳ：Ｒａｄｉｏ  Ｂｒｏａｄｃａｓｔ  Ｄａｔａ  Ｓｙｓｔｅｍ）は、ＲＤＳの米国版のために使用される正式名称である。その２つの標準は、わずかに異なるだけである。両方とも５７-ｋＨｚの副搬送波上で毎秒約１１８７ビットでデータを運ぶので、毎データビットの間にちょうど４８周期の副搬送波がある。ラジオデータシステム（ＲＤＳ）は、ＶＨＦ周波数帯域においてステレオ多重信号を送信するＦＭラジオ局における使用のために導入された情報放送である。ラジオデータシステムは、ラジオ受信機に送信ラジオ局についての放送データ及びラジオ局によるプログラム放送を提供する。ラジオ受信機は、典型的には、このデータを液晶表示画面などの光表示部上で再生する。
【０００３】
ＲＤＳ放送データは、受信されているプログラムまたは周波数を合わせられた局／送信機の名前を示すプログラム識別（ＰＩ）、例えば、音楽、ニュース等のプログラムのタイプを示すプログラムタイプ識別（ＰＴＹ）、交通アナウンス（ＴＡ）、ならびに／あるいはプログラム付随情報、例えば、音楽タイトル、実演家、プログラム変更、及び同様のものなどを含有するラジオテキスト（ＲＴ）を含み得る。ラジオデータシステムは、カーラジオにおいて主に使用される。例えば、現在周波数を合わせられた送信機の受信が悪化するとき、ＲＤＳ対応カーラジオが、同じプログラムを放送している、より良くまたは最も良く受信可能な送信機に自動的に切り換える。これを行うために要求される情報は、ＲＤＳ対応ラジオ局によって放送されている代替周波数（ＡＦ）のリストと共に記されたプログラム識別（ＰＩ）情報を含む。ラジオデータシステムはまた、家のＦＭ受信機の聴取者にも同様に利点をもたらす。例えば、家の聴取者は、情報である記されたプログラムタイプ識別（ＰＴＹ）及びラジオテキスト（ＲＴ）から恩恵を受け得る。
【０００４】
ＲＤＳ仕様ＥＮ５００６７：１９９８が、特定用途のために一般に確保される多数のＲＤＳグループタイプを定義する。タイプ０Ａグループ（基本的な情報のチューニング及び切り換え）は、特別な場合であり、頻繁に送信されることになる単一グループにおいて全て一緒にＲＤＳの基本的な構成要素を運び、情報の多くの部分をＲＤＳ受信機に運搬して、それがかなりの数のチューニング機能を実行可能にするように設計される。特徴として知られる、これらの基本的な構成要素は、ＲＤＳ受信機におけるある程度の自動チューニングを可能にして、それが、チューニングに関連した情報をユーザに提示することを可能にする。タイプ０Ａグループは、以下のＲＤＳ特徴、すなわち、代替周波数（ＡＦ）、復号器情報（ＤＩ）、音楽音声（ＭＳ）、ＰＩ、プログラムタイプ（ＰＴＹ）、交通アナウンス（ＴＡ）、及び交通プログラム（ＴＰ）のうちの全てを含有する。タイプ０Ｂグループは、ＡＦ特徴を除いた同じ特徴を含有する。任意のＲＤＳ送信におけるタイプ０グループの実装は、必須であり、ＲＤＳにおける他の可能なグループの多くとは異なり、任意選択的なものではない。なぜなら、それは、ＲＤＳ受信機の自動チューニングに要求される不可欠な情報を運ぶからである。チューニングの助けとしての役割を果たすこれらの基本ＲＤＳ特徴から、ＡＦ、ＰＩ、ＰＳ、及びＴＰを考えることは有用である。それらは、タイプ０Ａグループ内の様々な場所において見られ得る。その上、ＰＩやＴＰは、全ての他のグループにおいて見付けられ得、復号された全ての単一グループからＲＤＳ受信機に即時情報を提供する。タイプ０Ｂグループは、非常に類似した構造を有するが、ブロック３において単純な違いがある。ブロック３では、ＡＦ特徴は使用されず、それ故、それは、第２のＰＩコードに置き換えられる。このグループは、通常、単一サービスＲＤＳ送信によって使用され、そこで、ＡＦリストの必要性はない。なぜなら、実際には、代替のものが無いからである。
【０００５】
以下の情報フィールドは、通常、ＲＤＳデータ内に含有される。
ＡＦ（代替周波数）：これは、受信機が、第１の信号が弱くなり過ぎるときに（例えば、範囲外に出ているときに）同じ局を提供している異なる周波数に再び合わせることを可能にする。これは、カーステレオシステムにおいて利用されることが多い。
【０００６】
ＣＴ（クロック時間）：受信機におけるクロックまたは車における主クロックを同期することができる。送信の予測のつかない変動に起因して、ＣＴは、協定世界時の１００ミリ秒内であるようにだけ正確であり得る。
【０００７】
ＥＯＮ（強化された他のネットワーク）：受信機が、交通プログラムのために他のネットワークまたは局を監視して、自動的に一時的にその局に周波数を合わせることを可能にする。
【０００８】
ＰＩ（プログラム識別）：これは、局を識別する固有コードである。全ての局が、国識別記号を有する特定コードを受信する。米国において、ＰＩは、ある決まった方式を局の呼び出し符号に加えることによって決定される。
【０００９】
ＰＩコードは、１６ビットから成り、通常、４つの１６進文字、またはニブルによって表される。ＰＩコードは、任意の地理的エリア内で、プログラムサービスを固有に識別し、そのエリアで、同じＰＩコードを共有している放送が、同一プログラム音声を運ぶことが保証される。ＲＤＳ受信機のために可能な多くの設計があるが、ＰＩコードの評価は、動作に対する基本となるものである。事前に設定されたメモリを有する任意の受信機において、放送のＰＩコードは、サービスがメモリの場所に割り当てられるときに、不揮発性メモリ内に記憶されることが必須である。最後に合わせられた周波数またはＡＦ上で、正しいＰＩコードを有する信号が利用可能ではない場合、事前設定が選ばれるときに、受信機は、ＦＭ帯域をスキャンして、それぞれの受信可能なＲＤＳサービス上で止まり、ＰＩコードを評価するべきである。
【００１０】
ＰＳ（プログラムサービス）：プログラムサービス名は、最大で８つの英数字を含有する。それは、ユーザに局ＩＤについて通知するために使用され得る。ＰＳは、通常、全てのＲＤＳ対応チューナによって表示される。静的ＰＳへの追加として、動的ＰＳ（ＰＳをスクロールすること）を使用することが可能である。ＰＳをスクロールすることは、歌のタイトルやアーティストまたは長い局の名前のようなテキストがまた、非ラジオテキスト対応受信機上に表示され得ることを意味する。プログラムサービス名は、グループ０Ａ及び０Ｂにおいて送信される。ＲＤＳ標準によれば、ＰＳは、静的表示である必要があり、８桁の名前以外のテキストを含有してはいけない。
【００１１】
合計で４つのタイプ０Ａグループが、全ＰＳ名を送信するために要求され、従って、４つのタイプ０Ａグループが、毎秒要求されることになる。タイプ０Ａグループの繰り返し率は、より多くの容量が他の適用に必要とされる場合、低減され得る。ただし、毎秒最小限で２つのタイプ０Ａグループが、ＰＳ及びＡＦ特徴の正しい機能を確保するために必要である。しかしながら、ＥＯＮ受信機で、検索チューニングは、タイプ０グループの繰り返し率（ＴＰ／ＴＡ）による影響を受ける。この場合において、完全なＰＳの送信が２秒かかることに留意する必要がある。しかしながら、典型的な受信条件下で、エラーの導入は、受信機が、表示のためにＰＳ名を取得するのに４秒以上かかることをもたらすことになる。
【００１２】
ＰＴＹ（プログラムタイプ）：３１までの事前に定義されたプログラムタイプ（例えば、ヨーロッパでは、ＰＴＹ１  ニュース、ＰＴＹ６  ドラマ、ＰＴＹ１１  ロック音楽）のこの符号化は、ユーザが、ジャンルによって類似の番組を見付けることを可能にする。チューナは、特定のプログラムタイプだけを受信するためにＰＴＹを使用することができる。更に、コードは、局検索のために使用され得る。ＰＴＹコードは、全てのＲＤＳグループにおいて送信される。チューナは、特定のプログラムタイプだけを受信するためにＰＴＹを使用することができる。更に、コードは、局検索のために使用され得る。ＰＴＹコードは、全てのＲＤＳグループにおいて送信される。
【００１３】
グループが、４つのブロックから成り、それぞれが、長さ２６ビットである。それ故、グループが、１０４ビットから成る。１つのブロックが、長さ１６ビットの情報ワード及び１０ビットのＣＲＣチェックワードから成り、それに対して、同期機構を生成するオフセットワードが追加される。ＲＤＳ符号化は、最も頻繁に繰り返されるメッセージ（ならびにそれは、短い取得時間を必要とする）が、通常、あるグループ内の同じ固定位置を占有するように、構造化される。これは、情報を含有する外側の任意のブロックを参照せずに、復号化することを可能にする。各グループの第１のブロックが、常に、ＰＩコードを含有する一方、ＰＴＹコードやＴＰフラグは、全てのグループのブロック２における固定位置を占有する。グループタイプコードは、グループタイプ（０〜１５）を定義する４ビットコードによって特定される。このコードは、全てのグループの第２のブロックの第１の４ビットにおいて送信される。加えて、このブロックの第５のビットが、グループタイプの「バージョン」（ＡまたはＢ）を定義する。バージョンＡのグループでは、ＰＩコードが、ブロック１だけに挿入される。バージョンＢでは、ＰＩコードが、ブロック１及び３に挿入される。
【００１４】
ＲＥＧ（地域的）：これは、国営放送局が地域特定プログラムを運営する国において、主に使用される。この機能性は、ユーザが、彼らの現在の地域に対する設定を選択すること、あるいは彼らが他の地域に移動する際に他の地域特定プログラムにラジオのチューンを合わせることができるようにする。
【００１５】
ＲＴ（ラジオテキスト）：この機能は、ラジオ局が、静的（例えば、局のスローガンなど）であり得るまたはプログラム（例えば現在再生中の歌のタイトルやアーティストなど）と同期し得る６４文字の自由形式テキストを送信することを可能にする。
【００１６】
ＴＡ、ＴＰ（交通アナウンス、交通プログラム）：受信機は、このフラグに特別な注意を払い、例えば、テープを停止する／ＣＤを一時停止するまたは交通報告を受信するように再び合わせるように設定され得ることが多い。ＴＰフラグは、ユーザが、交通報告を定期的に放送する局だけを見付けることを可能にするために使用される一方で、ＴＡフラグは、進行中の実際の交通報告を知らせるために使用され、ラジオ装置が、他の行動、例えばカセットテープを停止すること（それ故、ラジオが聞こえ得る）または交通報告の間に音量を上げることなどを実行するであろう。
【００１７】
ＴＭＣ（交通メッセージチャネル）：デジタル式にエンコードされた交通情報。全てのＲＤＳ機器がこれをサポートするとは限らないが、それは、自動車ナビゲーションシステムに利用可能であることが多い。多くの国において、暗号化された交通データだけが放送され、それ故、場合によっては配信サービスに関連した、適切な復号器が、交通データを使用するために要求される。
【００１８】
典型的には、局リストは、ＰＳ名（ユーザ可視）及びいくつかの隠された情報から成る。完全なＰＳ名を取得するために、単一要素（２つのパターン）が（ＲＤＳ仕様によって推奨されるように）毎秒ＲＤＳグループ０において順次送信されるので、たくさんのＲＤＳグループが受信される必要がある。従って、ＰＳ名を受信するための最短時間は、（良好な受信が仮定される場合）４秒である。単一ＦＭチューナにおいて、システムは、長時間ミュートにされる必要があるので、フォアグラウンド局（ユーザによって実際に聞かれている局）とは別の局についてのＰＳ名を得ることは困難であり、その長時間のミュートは、ユーザのための聞き取りの快適さを非常に悪化させる。
【発明の概要】
【発明が解決しようとする課題】
【００１９】
先行技術を考慮して本発明の根底にある問題は、ユーザに、快適さの悪化を少なくしながら、より多くの情報を提供することである。
【課題を解決するための手段】
【００２０】
上述した問題は、請求項１に従う方法によって解決される。
【００２１】
発明に従う方法は、単一ＦＭチューナシステムにおいて局情報を提供するものであり、また、単一ＦＭチューナシステムによって、ラジオデータシステム、ＲＤＳデータ／ラジオ放送データシステム、ＲＢＤＳデータを受信するステップと、受信されたＲＤＳ／ＲＢＤＳデータから受信可能な局に関する周波数情報を抽出して、受信可能な周波数のリストであって、特に、１つ以上の受信可能な周波数を含む、リストを表示するステップと、受信されたＲＤＳ／ＲＢＤＳデータから受信可能な局に関する追加の情報を抽出して、リストにおけるそれぞれの受信可能な周波数と一致している受信可能な局に関する抽出された追加の情報を表示するステップと、を含む。
【００２２】
従って、受信可能な周波数を有するリストは、リストを表示することによってユーザに提供される。発明は、ユーザにこれらの異なる周波数の裏に予期されることになるプログラムのより良い概要を与えるために、この周波数リストをより多くの情報で埋める可能性を提供する。
【００２３】
発明に従う方法は、追加の情報を抽出するステップが、ＲＤＳ／ＲＢＤＳデータの、プログラムタイプ、ＰＴＹ情報フィールドから情報を抽出することを含み得るという点において発展され得る。方法は、プログラムタイプに関連したＰＴＹ情報をユーザに表示する可能性を提供する。
【００２４】
更なる発展において、ＰＴＹ情報フィールドから抽出された情報は、ＰＴＹコードを含み得、方法は、第１の平文をＰＴＹコードに割り当てる更なるステップを含んでもよく、表示するステップは、第１の平文を表示することを含んでもよい。従って、抽出されたＰＴＹコード、例えば「１１」などが、例えば、ヨーロッパでは「ロック音楽」として（米国では「オールディーズ」として）ユーザに表示されてもよい。
【００２５】
別の発展によれば、追加の情報を抽出するステップが、ＲＤＳ／ＲＢＤＳデータの、プログラム識別、ＰＩ情報フィールドから情報を抽出することを含む。それは、プログラム識別に関連したＰＩ情報をユーザに表示する可能性を提供する。
【００２６】
更なる発展において、ＰＩ情報フィールドから抽出された情報は、ＰＩコードを含み得、方法は、第２の平文をＰＩコードに割り当てる更なるステップを含んでもよく、表示するステップは、第２の平文を表示することを含んでもよい。従って、抽出されたＰＩコード、例えば「Ｆ２０２」などが、例えば「フランス全国」としてユーザに表示されてもよい。
【００２７】
別の発展によれば、単一ＦＭチューナシステムのデータベース内に記憶される割り当て表を使用することによって、第１の平文がＰＴＹコードに割り当てられてもよく、及び／または第２の平文がＰＩコードに割り当てられてもよい。これは、それぞれのコードをユーザに表示され得る平文に変換するのに便利な手法である。
【００２８】
発明に従うまたは発展のうちの１つに従う方法は、単一ＦＭチューナシステムのユーザによって追加の情報に基づいて局を選択する更なるステップを含んでもよい。それ故、ユーザは、特に、この情報が平文に変換されて表示されるときに、周波数を考慮して、ならびにＰＩ及びまたはＰＴＹ情報を考慮して、局を選択してもよい。
【００２９】
この方法は、対応するＰＩコードが受信されているときに、追加の情報を選択された局のプログラムサービス名（ＰＳ名）と置き換えるステップを更に備えてもよい。
【００３０】
発明はまた、請求項９に従う単一ＦＭチューナシステムを提供する。
【００３１】
発明に従う単一ＦＭチューナシステムは、ラジオデータシステム、ＲＤＳデータ／ラジオ放送データシステム、ＲＢＤＳデータを受信するための受信機と、情報を表示するための表示部と、受信されたＲＤＳ／ＲＢＤＳデータから受信可能な局に関する周波数情報を抽出するための、ならびに表示部上に受信可能な周波数のリストを表示するために表示データを表示部に送信するためのプロセッサと、を備え、リストが、特に、１つ以上の受信可能な周波数を含み、プロセッサが、受信されたＲＤＳ／ＲＢＤＳデータから受信可能な局に関する追加の情報を抽出するために更に構成され、表示データが、受信可能な局に関する抽出された追加の情報に対応するデータを更に含み、表示部が、リストにおけるそれぞれの受信可能な周波数と一致している抽出された追加の情報を表示するように更に構成される。
【００３２】
発明に従う単一ＦＭチューナ及び以下に記載される発展の利点は、発明に従う方法とそれの関連した発展の利点に対応する。従って、参照が、既に上記した利点に対してなされる。
【００３３】
単一ＦＭチューナシステムの発展によれば、抽出された追加の情報が、ＲＤＳ／ＲＢＤＳデータの、プログラムタイプ、ＰＴＹ情報フィールドからの情報を含んでもよい。
【００３４】
特に、ＰＴＹ情報フィールドから抽出された情報は、ＰＴＹコードを含み得、プロセッサは、第１の平文をＰＴＹコードに割り当てるように更に構成されてもよく、表示部は、第１の平文を表示するように更に構成されてもよい。
【００３５】
単一ＦＭチューナシステムの別の発展によれば、抽出された追加の情報は、ＲＤＳ／ＲＢＤＳデータの、プログラム識別、ＰＩ情報フィールドからの情報を含んでもよい。
【００３６】
特に、ＰＩ情報フィールドから抽出された情報は、ＰＩコードを含み得、プロセッサは、第２の平文をＰＩコードに割り当てるように更に構成されてもよく、表示部は、第２の平文を表示するように更に構成されてもよい。
【００３７】
更なる発展において、単一ＦＭチューナが、第１の平文をＰＴＹコードに及び／または第２の平文をＰＩコードに割り当てるための割り当て表を記憶するためのデータベースを更に備えてもよい。
【００３８】
別の発展において、単一ＦＭチューナが、追加の情報に基づいて単一ＦＭチューナシステムのユーザによって局を選択するための選択手段を更に備えてもよい。
【００３９】
本発明の更なる特徴や利点が、図面を参照にして以下に記載されることになり、それらの図面は、本発明の実施形態の実施例だけを例示する。例示され記載された特徴は、互いに適切に組み合わされてもよい。
本発明は、例えば、以下を提供する。
（項目１）
単一ＦＭチューナシステムにおいて局情報を提供する方法であって、
前記単一ＦＭチューナシステムによって、ラジオデータシステム、ＲＤＳデータ／ラジオ放送データシステム、ＲＢＤＳデータを受信することと、
前記受信されたＲＤＳ／ＲＢＤＳデータから受信可能な局に関する周波数情報を抽出して、前記受信可能な周波数のリストであって、特に、１つ以上の受信可能な周波数を含む、リストを表示することと、を含み、
前記受信されたＲＤＳ／ＲＢＤＳデータから前記受信可能な局に関する追加の情報を抽出することと、
前記リストにおける前記それぞれの受信可能な周波数と一致している前記受信可能な局に関する前記抽出された追加の情報を表示することと、によって特徴付けられる、前記方法。
（項目２）
前記追加の情報を抽出するステップが、前記ＲＤＳ／ＲＢＤＳデータの、前記プログラムタイプ、ＰＴＹ情報フィールドから情報を抽出することを含む、上記項目に記載の前記方法。
（項目３）
前記ＰＴＹ情報フィールドから前記抽出された情報が、ＰＴＹコードを含み、前記方法が、第１の平文を前記ＰＴＹコードに割り当てる更なるステップを含み、前記表示するステップが、前記第１の平文を表示することを含む、上記項目のいずれか一項に記載の前記方法。
（項目４）
前記追加の情報を抽出するステップが、前記ＲＤＳ／ＲＢＤＳデータの、前記プログラム識別、ＰＩ情報フィールドから情報を抽出することを含む、上記項目のいずれか一項に記載の前記方法。
（項目５）
前記ＰＩ情報フィールドから前記抽出された情報が、ＰＩコードを含み、前記方法が、第２の平文を前記ＰＩコードに割り当てる更なるステップを含み、前記表示するステップが、前記第２の平文を表示することを含む、上記項目のいずれか一項に記載の前記方法。
（項目６）
前記単一ＦＭチューナシステムのデータベース内に記憶された割り当て表を使用して、前記第１の平文が前記ＰＴＹコードに割り当てられ、及び／または前記第２の平文が、前記ＰＩコードに割り当てられる、上記項目のいずれか一項に記載の前記方法。
（項目７）
前記単一ＦＭチューナシステムのユーザによって前記追加の情報に基づいて局を選択することを含む、上記項目のいずれか一項に記載の前記方法。
（項目８）
前記対応するＰＩコードが受信されているときに、前記選択された局の、前記プログラムサービス名、ＰＳ名と前記追加の情報を置き換えることを更に含む、上記項目のいずれか一項に記載の前記方法。
（項目９）
単一ＦＭチューナシステムであって、
ラジオデータシステム、ＲＤＳデータ／ラジオ放送データシステム、ＲＢＤＳデータを受信するための受信機と、
情報を表示するための表示部と、
前記受信されたＲＤＳ／ＲＢＤＳデータから受信可能な局に関する周波数情報を抽出するための、ならびに前記表示部上に前記受信可能な周波数のリストであって、特に、１つ以上の受信可能な周波数を含む、リストを表示するために前記表示部に表示データを送信するためのプロセッサと、を備え、
前記プロセッサが、前記受信されたＲＤＳ／ＲＢＤＳデータから前記受信可能な局に関する追加の情報を抽出するために更に構成され、前記表示データが、前記受信可能な局に関する前記抽出された追加の情報に対応するデータを更に備えることと、
前記表示部が、前記リストにおける前記それぞれの受信可能な周波数と一致している前記抽出された追加の情報を表示するように更に構成されることと、を特徴とする、前記単一ＦＭチューナシステム。
（項目１０）
前記抽出された追加の情報が、前記ＲＤＳ／ＲＢＤＳデータの、前記プログラムタイプ、ＰＴＹ情報フィールドからの情報を含む、上記項目のいずれか一項に記載の単一ＦＭチューナシステム。
（項目１１）
前記ＰＴＹ情報フィールドから前記抽出された情報が、ＰＴＹコードを含み、前記プロセッサが、第１の平文を前記ＰＴＹコードに割り当てるように更に構成され、前記表示部が、前記第１の平文を表示するように更に構成される、上記項目のいずれか一項に記載の単一ＦＭチューナシステム。
（項目１２）
前記抽出された追加の情報が、前記ＲＤＳ／ＲＢＤＳデータの、前記プログラム識別、ＰＩ情報フィールドからの情報を含む、上記項目のいずれか一項に記載の単一ＦＭチューナシステム。
（項目１３）
前記ＰＩ情報フィールドから前記抽出された情報が、ＰＩコードを含み、前記プロセッサが、第２の平文を前記ＰＩコードに割り当てるように更に構成され、前記表示部が、前記第２の平文を表示するように更に構成される、上記項目のいずれか一項に記載の単一ＦＭチューナシステム。
（項目１４）
前記第１の平文を前記ＰＴＹコードに及び／または前記第２の平文を前記ＰＩコードに割り当てるための割り当て表を記憶するためのデータベースを更に備える、上記項目のいずれか一項に記載の単一ＦＭチューナシステム。
（項目１５）
前記追加の情報に基づいて前記単一ＦＭチューナシステムのユーザによって局を選択するための選択手段を更に備える、上記項目のいずれか一項に記載の単一ＦＭチューナシステム。
（摘要）
発明に従う方法が、単一ＦＭチューナシステムにおいて局情報を提供し、単一ＦＭチューナシステムによって、ラジオデータシステム、ＲＤＳデータ／ラジオ放送データシステム、ＲＢＤＳデータを受信するステップと、受信されたＲＤＳ／ＲＢＤＳデータから受信可能な局に関する周波数情報を抽出して、受信可能な周波数のリストであって、特に、１つ以上の受信可能な周波数を含む、リストを表示するステップと、受信されたＲＤＳ／ＲＢＤＳデータから受信可能な局に関する追加の情報を抽出するステップと、リストにおけるそれぞれの受信可能な周波数と一致している受信可能な局に関する抽出された追加の情報を表示するステップと、を含む。更に、単一ＦＭチューナシステムが、その方法を実行するために提供される。
【図面の簡単な説明】
【００４０】
【図１】発明に従う方法の実施形態を例示する。
【図２】局リストの実施例を示す。
【図３】発明に従う単一ＦＭチューナの実施形態を例示する。
【発明を実施するための形態】
【００４１】
ＲＤＳデータが、グループにフォーマットされる。タイプＡとタイプＢに分割される１６個のグループがある。これらのグループは、ＰＴＹまたはＥＯＮデータのような異なるデータを含有する。あるグループは、以下のようにフォーマットされる。それは、１０４ビットを含有し、４個のブロックに分割される。あるブロックが、２６ビットを含有し、情報ワードと、オフセットを有するチェックワードに分割される。情報ワードが、１６ビットを含有し、データを運ぶ。オフセットを有するチェックワードは、エラー補正及び同期のためのものである。
【００４２】
各グループのブロック１は、局のＰＩコードを含有する。ブロック２は、以下のデータ、すなわち、（現在送信されたグループを識別する）グループタイプコード、（グループをタイプＡまたはタイプＢとして識別する）バージョンフラグ、ＴＰフラグ、ＰＴＹ、５個のグループの個々のビットを含有する。ブロック３と４は、グループ特定データを含有する。
【００４３】
Ａ及びＢグループがある。Ａグループとは異なり、Ｂグループは、常に、３番目のブロックにおいてＰＩコードを含有する。ラジオ局が、例えば、代替周波数を有さない場合、それは、グループ０Ａの代わりにグループ０Ｂを送信することができる。これは、代替周波数を送信する代わりに、ＰＩコードが、より良い同期のために再び送信されることを意味する。
【００４４】
ＰＴＹコードは、全ての単一ＲＤＳグループのブロック２において５ビットを使用して、送信される。更に、（高速の基本的な情報のチューニング及び切り換えを提供する）タイプ１５Ｂグループが、ＰＴＹコードを復号するための第２の機会を運び、それはまた、ブロック４において送信される。その上、コードはまた、タイプ１４Ａグループ、プログラムサービスを相互参照する送信からの異形１３において運ばれてもよい。ヨーロッパのためのＰＴＹコードは、ＲＤＳ仕様ＥＮ５００６７：１９９８において与えられる。これらのコードは、放送局のために標準化された記述を提供して、２９個の標準化された選択の短いリストに従って、彼らのプログラムを描写する。
【００４５】
プログラム識別（ＰＩ）コードは、１６ビットから成る。ビットｂ１５〜ｂ１２は、国／エリア符号（１６進コード）を構成する。コード割り当てｂ１１〜ｂ０は、例えばビットｂ１１〜ｂ８がエリアカバレッジの観点からプログラムタイプを記述し、ビットｂ７〜ｂ０が、プログラム参照番号であるような手法で、各国またはエリアに割り当てられる。コードは、同じプログラムを発している他の送信機に対する自動検索チューニングが、同じプログラム識別コードの位置を特定し得るような手法で、割り当てられ、すなわち、全１６ビットが、同一であるものとする。ＰＩコードは、全ての単一ＲＤＳグループのブロック１において送信される。ＰＩは、直接表示のために意図されない機械可読コードである。それは、地理的エリア内でそれぞれの個々のプログラムサービスに固有に割り当てられ、それが、全ての他のプログラムサービスから区別されることを可能にする。使用される周波数に関係なく、任意の所与のエリア内で同一ＰＩコードを用いる送信は、同一音声プログラムを有する必要がある。受信機は、従って、最適な受信を追跡するために、プログラム音声が両方の送信機上で同一であることを確実にして、同じＰＩコードを用いる２つの異なる送信間で自由に切り換えてもよい。ＰＩコード内に含有される情報の１つの重要な適用は、ＲＤＳ受信機が、周波数を合わせているプログラムの受信不良の場合において、代替周波数を自動的に検索することを可能にすることであり、新しい周波数への変更のための基準が、同じＰＩコードを有するより良い信号の存在であることになる。
【００４６】
図１は、発明に従う方法の実施形態を示す。発明に従う方法は、単一ＦＭチューナシステムにおいて局情報を提供し、以下のステップ、すなわち、単一ＦＭチューナシステムによって、ラジオデータシステム、ＲＤＳデータ／ラジオ放送データシステム、ＲＢＤＳデータを受信するステップ１１０と、受信されたＲＤＳ／ＲＢＤＳデータから受信可能な局に関する周波数情報を抽出するステップ１２０と、受信可能な周波数のリストであって、特に、１つ以上の受信可能な周波数を含むリストを表示するステップ１３０と、受信されたＲＤＳ／ＲＢＤＳデータから受信可能な局に関する追加の情報を抽出するステップ１４０と、リストにおけるそれぞれの受信可能な周波数と一致している受信可能な局に関する抽出された追加の情報を表示するステップ１５０と、を含む。
【００４７】
従来の方法は、受信可能な周波数を有するリストを提供する。実際、他の周波数の短いチェックが、常に、単一チューナシステムにおいて必須である。発明は、ユーザにこれらの異なる周波数の裏に予期されることになるプログラムのより良い概要を与えるために、この周波数リストをより多くの情報で埋める可能性を提供する。
【００４８】
本発明に従う基本的な考えは、他の局の周波数に加えて、ＲＤＳデータのブロックＡやＢのいくつかの情報を示すことであり、それは、ＰＩコードとＰＴＹコードであり、それは、８７，６ミリ秒毎に更新される。これらの情報のために、システムは、品質チェックのためだけよりも長く（約５〜１０ミリ秒間続く）他の周波数をチェックする必要があるが、ＰＳ名のためのチェックよりもかなり短い。ＲＤＳ仕様から、国コードが複数の割り当てを有することが明白である。明確な関連付けは、拡張された国コード（ＥＥＣ）として追加の情報によって取得され得、それは、グループ１Ａにおいて送信される。ただし、グループ１Ａは、極めてまれに送信され、従って、それは、短いテストのために信頼性をもって使用されることができない。しかしながら、明確な割り当てが、ＥＥＣ妥当性チェックを実行することによって取得され得、実際に聞かれた局（フォアグラウンド局）のＥＥＣが決定される。そのチェックは、記憶されたデータベースマトリクスによって実行される。コード化された情報から平文への割り当てが、データベース内に記憶され得、次いで、ユーザによって使用され得る局リストにおいて情報を表現するために使用され得、彼／彼女がどの種類の局に周波数を合わせることになるかの事前選択に適合する。
【００４９】
以下の表は、ＲＤＳ及びＲＢＤＳプログラムタイプ（ＰＴＹ）コードならびにそれらの意味をリスト化する。
【表１】
0006798782.tif 000002
【００５０】
後のＲＢＤＳ標準は、元のＲＤＳ識別に一致させることを試みなかったので、ジャズ、天気、スポーツ、及びロックを含む、いくつかの同一ラジオ形式には、異なる番号が与えられた。
【００５１】
ＰＩコードは、２つの異なる局が、同じエリアにおいて同じＰＩコードを送信しないように、割り当てられる必要がある。この割り当て処理の一部として、第１のニブル（１６進文字）が、国識別子であり、放送の発端の国を表す。第２のニブルは、局のカバレッジエリアを表す１６進文字である。例えば、１６進文字０が、エリアカバレッジコードＬ＝Ｌｏｃａｌ（ローカル）、すなわち、単一送信機によってのみ送信されるローカルプログラムで識別され、１６進文字１が、エリアカバレッジコードＩ＝Ｉｎｔｅｒｎａｔｉｏｎａｌ（国際）で識別され、すなわち、同じプログラムがまた、他の国において送信され、１６進文字２が、エリアカバレッジコードＮ＝Ｎａｔｉｏｎａｌ（全国）で識別され、すなわち、同じプログラムが、国全体を通して送信され、１６進文字３が、エリアカバレッジコードＳ＝Ｓｕｐｒａ−ｒｅｇｉｏｎａｌ（地域を超える）で識別され、すなわち、同じプログラムが、国の大部分全体を通して送信され、１６進文字４〜Ｆが、それぞれ、エリアカバレッジコードＲ１〜Ｒ１２＝Ｒｅｇｉｏｎａｌ（地域）、すなわち、１つの場所もしくは地域においてのみ利用可能であるプログラムで識別される。
【００５２】
図２Ａは、図１に記載した方法のステップ１５０においてユーザに提供され得る局リストの実施例を示す。
【００５３】
９８，４ＭＨｚにおける局のためのＰＴＹコードが、ポップとしてプログラムタイプを識別するために使用されており、ＰＩコードの第１の２つのニブルが、それぞれ、ドイツとして国ならびにＢａｄｅｎ−Ｗuｒｔｔｅｍｂｅｒｇとしてカバレッジエリアを識別するために使用されている。９５，０ＭＨｚにおける局のためのＰＴＹコードが、ポップとしてプログラムタイプを識別するために使用されており、ＰＩコードの第１の２つのニブルが、それぞれ、フランスとして国ならびに全国としてカバレッジエリアを識別するために使用されている。９８，２ＭＨｚにおける局のためのＰＴＹコードが、ニュースとしてプログラムタイプを識別するために使用されており、ＰＩコードの第１の２つのニブルが、それぞれ、ドイツとして国ならびにＳａａｒｌａｎｄとしてカバレッジエリアを識別するために使用されている。９３，０ＭＨｚにおける局のためのＰＴＹコードが、ニュースとしてプログラムタイプを識別するために使用されており、ＰＩコードの第１の２つのニブルが、それぞれ、フランスとして国ならびにＮａｔｉｏｎａｌ（全国）としてカバレッジエリアを識別するために使用されている。９２，４ＭＨｚにおける局のためのＰＴＹコードが、クラシックとしてプログラムタイプを識別するために使用されており、ＰＩコードの第１の２つのニブルが、それぞれ、ドイツとして国ならびにＮａｔｉｏｎａｌ（全国）としてカバレッジエリアを識別するために使用されている。９２，８ＭＨｚにおける局のためのＰＴＹコードが、クラシックとしてプログラムタイプを識別するために使用されており、ＰＩコードの第１の２つのニブルが、それぞれ、ドイツとして国ならびにＲｈｅｉｎｌａｎｄ−Ｐｆａｌｚとしてカバレッジエリアを識別するために使用されている。
【００５４】
追加の情報を抽出するステップは、ＲＤＳ／ＲＢＤＳデータの、プログラムタイプ、ＰＴＹ情報フィールドから情報を抽出することを含んでもよい。
【００５５】
ＰＴＹ情報フィールドから抽出された情報は、ＰＴＹコードを含み得、方法は、第１の平文をＰＴＹコードに割り当てる更なるステップを含んでもよく、表示するステップは、第１の平文を表示することを含んでもよい。従って、抽出されたＰＴＹコード、例えば「１」などは、例えば第１の平文「ニュース」として、ユーザに表示されてもよい。追加の情報を抽出するステップは、ＲＤＳ／ＲＢＤＳデータの、プログラム識別、ＰＩ情報フィールドから情報を抽出することを含む。
【００５６】
ＰＩ情報フィールドから抽出された情報は、ＰＩコードを含み得、方法は、第２の平文をＰＩコードに割り当てる更なるステップを含んでもよく、表示するステップは、第２の平文、例えば「フランス」及び／または「Ｎａｔｉｏｎａｌ（全国）」などを表示することを含んでもよい。単一ＦＭチューナシステムのデータベース内に記憶される割り当て表を使用することによって、第１の平文がＰＴＹコードに割り当てられてもよく、及び／または第２の平文がＰＩコードに割り当てられてもよい。
【００５７】
ユーザは、周波数を考慮してならびにＰＩ及びまたはＰＴＹ情報を考慮して、特に、この情報が平文に変換されて表示されるときに、局を選択してもよい。そのような局がユーザによって選択され、かつ、正しいＰＳ名が結局は利用可能である場合には、高速情報が、正しいＰＳ名と置き換えられ得る。
【００５８】
図２Ｂは、図１に記載された方法のステップ１５０においてユーザに提供され得る局リストの別の実施例を示す。この実施例では、リストが国によって分類される。その上、プログラム参照番号（ビットｂ７〜ｂ０、上記を参照）における追加の情報が、地域を超える局のために少なくとも使用され、この特定の実施例では、Ｐ１、Ｐ４、Ｒｅｇ、Ｐ２、Ｐ３、Ｐ３を示す。
【００５９】
図３は、発明に従う単一ＦＭチューナシステムを例示する。
【００６０】
この実施形態における単一ＦＭチューナシステム３００が、音声データを受信するためのならびにラジオデータシステム、ＲＤＳデータ／ラジオ放送データシステム、ＲＢＤＳデータを受信するための受信機３１０と、情報を表示するための表示部３６０と、ＲＤＳデータから音声データを分離するためのならびに音声データをスピーカ経由でユーザに提供する音声区分３３０に音声データを送信するためのならびにＲＤＳデータをプロセッサ３５０に送信するためのマルチプレクサ３２０と、を備える。単一ＦＭチューナシステム３００が、受信されたＲＤＳ／ＲＢＤＳデータから受信可能な局に関する周波数情報を抽出するためのならびに受信可能な周波数のリストを表示部３６０上に表示するために表示部３６０に表示データを送信するためのプロセッサ３５０を更に備え、リストが、特に、１つ以上の受信可能な周波数を含む。
【００６１】
プロセッサ３５０が、受信されたＲＤＳ／ＲＢＤＳデータから受信可能な局に関する追加の情報を抽出するために、更に構成され、表示データが、受信可能な局に関する抽出された追加の情報に対応するデータを更に備え、表示部３６０が、リストにおけるそれぞれの受信可能な周波数と一致している抽出された追加の情報を表示するように更に構成される。
【００６２】
この実施形態に従う単一ＦＭチューナが、第１の平文をＰＴＹコードに及び／または第２の平文をＰＩコードに割り当てるための割り当て表を記憶するためのデータベース３７０を更に備える。単一ＦＭチューナシステム３００が、追加の情報に基づいて単一ＦＭチューナシステムのユーザによって局を選択するための選択手段３７０を更に備える。選択手段は、例えば、押しボタンとしてまたはタッチ画面として、実装されてもよい。しかしながら、音声認識による制御がまた、代わりにまたは追加で使用されてもよい。
【００６３】
この開示は、例示的な実施形態を使用して詳細に発明を記載する。しかしながら、添付の特許請求の範囲によって定義されたような発明は、記載された厳密な実施形態に限定されない。
【図１】
0006798782.tif 000003
【図２】
0006798782.tif 000004
【図３】
0006798782.tif 000005